(57)【要約】【課題】  シャーシ全体として十分な剛性を維持しながら、シャーシの一部を利用して部品の支持部を形成することを課題とする。【解決手段】  第１のシャーシ２０の一部を加工して支持部２０ｂ，２０ｃを形成する。第１のシャーシに取り付けられる部品３０に取り付け具３２を固定する。第１のシャーシ２０上の部品３０を覆うように、第２のシャーシ４０を第１のシャーシ２０に取り付ける。取り付け具３２を第２のシャーシ４０と支持部２０ｂ，２０ｃとの間に挟み込んで、第２のシャーシ４０と取り付け具３２とを一体に支持部２０ｂ，２０ｃに固定する。【選択図】  図３
2013196727.tif 000002
【特許請求の範囲】
【請求項１】
第１のシャーシと、
前記第１のシャーシの一部を加工して形成された支持部と、
前記第１のシャーシ上の前記部品を覆うように前記第１のシャーシに取り付けられる第２のシャーシと
を有し、
前記第１のシャーシに取り付けられる部品に固定された取り付け具を前記第２のシャーシと前記支持部との間に挟み込んで、前記第２のシャーシと前記取り付け具とを一体に前記支持部に固定した電子装置。
【請求項２】
請求項１記載の電子装置であって、
前記第１のシャーシは板金により形成され、前記支持部は前記第１のシャーシを形成する板金の一部を切り起して形成された電子装置。
【請求項３】
請求項２記載の電子装置であって、
前記支持部以外に、前記取り付け具の位置決めを行なう複数の位置決め部が前記第１のシャーシに形成された電子装置。
【請求項４】
請求項３記載の電子装置であって、
前記位置決め部のうち、前記電子装置が垂直に配置された際に前記取り付け具の上側に位置する位置決め部は、前記取り付け具の上端に係合する端部を有する電子装置。
【請求項５】
請求項３又は４記載の電子装置であって、
前記位置決め部のうち、前記電子装置が垂直に配置された際に前記取り付け具の下側に位置する位置決め部は、前記取り付け具の下端を受容する凹部を有する電子装置。
【発明の詳細な説明】
【技術分野】
【０００１】
実施形態は、部品が取り付けられるシャーシを有する電子装置に関する。
【背景技術】
【０００２】
近年、薄型パーソナルコンピュータや薄型テレビのように大きな表示部を有する薄型の電子装置が普及しつつある。このような薄型の電子装置は、例えば大きな液晶パネル等の表示装置の裏側に各種電気部品や電気装置等の構成部品を配置することで、表示装置と同じような平面形状で薄型の電子装置となっている場合が多い。
【０００３】
このような薄型の電子装置は、表示装置の裏側に電気回路部品や記憶装置等の構成部品を取り付けるために大きなシャーシを有している。例えば、薄型パーソナルコンピュータの筐体内部には、表示装置と同じような大きさの板金製シャーシが組み込まれる。そして、ハードディスクドライブ（ＨＤＤ）等の比較的大きくて重量のある構成部品が、シャーシに対して取り付けられる。
【０００４】
ＨＤＤを例にとると、箱状のＨＤＤの両側面に取り付け具が取り付けられ、取り付け具をシャーシに固定することでＨＤＤを組み込むことが一般的である。この場合、箱状のＨＤＤの両側面を挟むように一対の支持板がシャーシに対して取り付けられる。この一対の支持板の間にＨＤＤを配置し、ＨＤＤの両側面から張り出した取り付け具を支持板にネジ止めすることで、ＨＤＤをシャーシに取り付けることができる。
【０００５】
このような取り付け構造でＨＤＤをシャーシに取り付けた場合、ＨＤＤの作動時の振動により異音が発生するおそれがある。そこで、ＨＤＤの振動を抑制する目的で、ＨＤＤとシャーシとの間に弾性体を挟み込んでＨＤＤを支持板に取り付けている場合がある。
【０００６】
ここで、シャーシに構成部品を取り付けるための支持部を、板金製のシャーシの一部を切り起すことで形成することが提案されている（例えば、特許文献１〜３参照）。
【先行技術文献】
【特許文献】
【０００７】
【特許文献１】特開２００５−１８８８３５号公報
【特許文献２】特開２００２−６７５５号公報
【特許文献３】特開２００１−１８６７２１号公報
【発明の概要】
【発明が解決しようとする課題】
【０００８】
ＨＤＤのような比較的大きな構成部品を取り付けるための支持板は、ＨＤＤの側面に沿った形状である。このため、シャーシの一部を切り起すことで支持板を形成した場合、シャーシの一部で支持板として切り起した部分に大きな開口が形成されてしまう。シャーシに大きな開口があると、その部分でシャーシの強度が低下し、シャーシとしての十分な剛性を維持することができなくなってしまう。
【０００９】
そこで、小さな支持板を形成してシャーシに形成される開口を小さくした場合、支持板自体の強度が不足して部品支持構造に十分な剛性を付与できなくなってしまう。このため、支持板に取り付けたＨＤＤが変位したり、ＨＤＤの作動時の振動が抑制できずに異音が発生するおそれが生じる。
【００１０】
したがって、シャーシ全体として十分な剛性を維持しながら、シャーシの一部を利用して部品の支持部を形成することができる技術の開発が望まれている。
【課題を解決するための手段】
【００１１】
第１のシャーシと、第１のシャーシの一部を加工して形成された支持部と、前記第１のシャーシ上の前記部品を覆うように前記第１のシャーシに取り付けられる第２のシャーシとを有し、前記第１のシャーシに取り付けられる部品に固定された取り付け具を前記第２のシャーシと前記支持部との間に挟み込んで、前記第２のシャーシと前記取り付け具とを一体に前記支持部に固定した電子装置が提供される。
【発明の効果】
【００１２】
第２のシャーシと取り付け具とを一体にして第１のシャーシの支持部に固定することにより、部品を第１のシャーシに取り付けるための支持構造が補強され、支持構造と第１のシャーシの剛性を向上させることができる。
【図面の簡単な説明】
【００１３】
【図１】一実施形態による電子機器の一例である薄型ＰＣを前側から見た斜視図である。
【図２】図１の薄型ＰＣを後側から見た斜視図である。
【図３】薄型ＰＣの内部を示す分解斜視図である。
【図４】前側シャーシの一部であり、ＨＤＤが取り付けられる部分を拡大して示す斜視図である。
【図５】前側シャーシを水平にしてその上にＨＤＤを配置した状態を示す斜視図である。
【図６】前側シャーシが取り付けられた前側筐体が垂直に起立した状態を示す斜視図である。
【図７】ブラケットの底板部の上端が、縦位置決め部の内側に折り曲げた部分に差し込まれている部分を拡大して示す断面図である。
【図８】ブラケットの底板部の下端が、縦位置決め部の上に載っている部分を拡大して示す断面図である。
【図９】ブラケットの変形例を示す斜視図である。
【発明を実施するための形態】
【００１４】
次に、実施形態について図面を参照しながら説明する。
【００１５】
図１は一実施形態による電子機器の一例である薄型パーソナルコンピュータ（薄型ＰＣ）を前側から見た斜視図である。図２は図１の薄型ＰＣを後側から見た斜視図である。
【００１６】
薄型ＰＣ１０は、薄型の筐体１２を有し、筐体１２内に構成部品が収容されている。筐体１２は、前側筐体１２Ａと後側筐体１２Ｂとに分かれている。前側筐体１２Ａはフレーム状に形成されており、フレームの内側にＬＣＤ等の表示装置１４の表示面が露出するように設けられている。
【００１７】
後側筐体１２Ｂは、前側筐体１２Ａの後側（裏面側）を覆うように設けられる。後側筐体１２Ｂの下縁部には、一対の支持脚１６Ａが設けられている。また、後側筐体１２Ｂの後面には、中央支持脚１６Ｂが設けられている。薄型ＰＣ１０は、一対の支持脚１６Ａと中央支持脚１６Ｂとで支えられながら、表示面がほぼ垂直になった状態で机上等に載置することができる。
【００１８】
図３は薄型ＰＣ１０の内部を示す分解斜視図である。図３において、図面の簡略化のため、後側筐体１２Ｂは示していない。
【００１９】
前側筐体１２Ａには、表示装置１４の裏面側を覆うように、板金製の前側シャーシ２０が取り付けられている。前側シャーシ２０には、取り付け具としてブラケット３２が取り付けられたハードディスクドライブ（ＨＤＤ）３０が取り付けられる。ＨＤＤ３０以外に、回路基板や他の構成部品も前側シャーシに取り付けられるが、図面の簡略化のため、図３にはＨＤＤ３０とブラケット３２のみが示されている。前側シャーシ２０は、剛性を確保するために、例えば防錆処理が施された鋼板により形成される。前側シャーシ２０を形成する鋼板の厚みは、シャーシの剛性を確保できる範囲内で出来る限り薄くすることが望ましい。
【００２０】
ＨＤＤ３０や他の構成部品が取り付けられた前側シャーシ２０には、板金製の後側シャーシ４０が取り付けられる。後側シャーシ４０は、剛性を確保するために、例えば防錆処理が施された鋼板により形成される。前側シャーシ２０（第１のシャーシに相当する）に後側シャーシ４０（第２のシャーシに相当する）が強固に取り付けられることで、十分な剛性を有するシャーシ組立体を形成することができ、シャーシ組立体内部のＨＤＤ３０や回路基板等を保護することができる。
【００２１】
上述のように、ＨＤＤ３０は取り付け具としてのブラケット３２を介して前側シャーシ２０に取り付けられる。ブラケット３２は、ＨＤＤ３０の取り付け用として例えば鋼板等の板金で形成された取り付け具である。本実施形態では、ブラケット３２は、ＨＤＤ３０の底面に対向する底板部３２ａと、ＨＤＤ３０の一方の側面に対向する側板部３２ｂと、ＨＤＤ３０の他方の側面に対向する側板部３２ｃとを有する。
【００２２】
ブラケット３２は、側板部３２ｂと側板部３２ｃとの間にＨＤＤ３０を挟んだ状態で、ネジ３４によりＨＤＤ３０に固定される。ＨＤＤ３０の底面からは作動時の発熱を吸収して暖められた空気が出てくるため、ブラケット３２の底板部３２ａにはその空気を通すための大きな開口が設けられている。
【００２３】
ブラケット３２の側板部３２ｂの上端部分は９０度外側に折り曲げられて、張り出し部３２ｂ−１が形成されている。同様に、ブラケット３２の側板部３２ｃの上端部分は９０度外側に折り曲げられて、張り出し部３２ｃ−１が形成されている。張り出し部３２ｂ−１には、ネジ４２が貫通する貫通孔３２ｂ−２が２箇所に形成されている。同様に、張り出し部３２ｃ−１には、ネジ４２が貫通する貫通孔３２ｃ−２が２箇所に形成されている。張り出し部３２ｂ−１及び張り出し部３２ｃ−１は、ＨＤＤ３０を前側シャーシ２０に取り付ける際に用いられる。
【００２４】
図４は、前側シャーシ２０の一部であり、ＨＤＤ３０（すなわち、ブラケット３２）が取り付けられる部分を拡大して示す斜視図である。前側シャーシ２０には、板金を切り起して形成された２つの支持部２２ｂが設けられている。２つの支持部２２ｂは、ブラケット３２に設けられた二つの貫通孔３２ｂ−２に対応する位置にそれぞれ設けられている。同様に、前側シャーシ２０には、板金を切り起して形成された２つの支持部２２ｃが設けられている。２つの支持部２２ｃは、ブラケット３２に設けられた二つの貫通孔３２ｃ−２に対応する位置にそれぞれ設けられている。
【００２５】
支持部２２ｂの各々は、ＨＤＤ３０が取り付けられる部分の外側の板金の一部を９０度切り起こして形成され、その先端部分はさらに９０度折り曲げられて受け部２２ｂ−１が形成されている。受け部２２ｂ−１には、ネジ４２が取り付けられるネジ孔２２ｂ−２が形成されている。同様に、支持部２２ｃの各々は、ＨＤＤ３０が取り付けられる部分の外側のシャーシの一部を９０度切り起こして形成され、その先端部分はさらに９０度折り曲げられて受け部２２ｃ−１が形成されている。受け部２２ｂ−１には、ネジ４２が取り付けられるネジ孔２２ｃ−２が形成されている。
【００２６】
支持部２２ｂ及び２２ｃの各々の幅は、ＨＤＤ３０の側面の長さに比べてはるかに小さく、ネジ孔２２ｂ−２及び２２ｃ−２が形成できる程度の幅に設定されている。したがって、前側シャーシ２０の一部を切り起して支持部２２ｂ及び２２ｃを形成した部分に形成される開口２０ｂ及び２０ｃは比較的小さな開口となり、前側シャーシ２０の剛性の低下が極力抑えられている。
【００２７】
２つの支持部２２ｂと２つの支持部２２ｃとの間で、ＨＤＤ３０の底面（すなわち、ブラケット３２の底板部３２ａ）に対向する前側シャーシ２０の部分を、他の部分より僅かに低くなった凹部とするために板金を変形させた部分である絞り部２０ａが形成されている。絞り部２０ａは凹部を形成するため傾斜した部分に相当する。絞り部２０ａは前側シャーシ２０の板金を変形させて形成した変形部であるため、絞り部２０ａの縁部及びその周囲部分は、単なる平板のままの板金よりも剛性が増している。２つの支持部２２ｂと２つの支持部２２ｂとは、この剛性が増した部分の近傍に形成されるので、支持部２２ｂと支持部２２ｃの根本部分の剛性が増し、支持部２２ｂと支持部２２ｃとは倒れ難くなっている。絞り部２０ａには多数の開口２０ａ−１が形成されており、ＨＤＤ３０で暖められた空気がこの開口２０ａ−１を通じて前側シャーシ２０の外側に流れ出るようになっている。
【００２８】
なお、本実施形態では、絞り部２０ａの外側に支持部２０ｂ及び２０ｃを形成して支持部２０ｂ及び２０ｃの根本部分を補強しているが、絞り部２０ａを大きく形成し、絞り部２０ａの内側に支持部２０ｂ及び２０ｃを形成することとしてもよい。すなち、絞り部２０ａのような変形部を支持部２０ｂ及び２０ｃの近傍に形成することで、支持部２０ｂ及び２０ｃの根本を補強することができる。
【００２９】
２つの支持部２２ｂの近傍には、前側シャーシ２０の一部を切り起して２つの横位置決め部２０ｄが形成されている。横位置決め部２０ｄは、ＨＤＤ３０を前側シャーシ２０に取り付ける際に、ＨＤＤ３０のブラケット３２の側板部３２ｂに当接してＨＤＤ３０の位置決めが行なわれる位置に形成される。同様に、２つの支持部２２ｃの近傍には、前側シャーシ２０の一部を切り起して２つの横位置決め部２０ｅが形成されている。横位置決め部２０ｅは、ＨＤＤ３０を前側シャーシ２０に取り付ける際に、ＨＤＤ３０のブラケット３２の側板部３２ｃに当接してＨＤＤ３０の位置決めが行なわれる位置に形成される。
【００３０】
前側シャーシ２０の絞り部２０ａの長手方向の上端部の外側には、前側シャーシ２０の一部を切り起して縦位置決め部２０ｆが形成されている。縦位置決め部２０ｆは、薄型ＰＣ１０が図１に示すように起立した状態で配置された際に、ＨＤＤ３０の上側となる位置に設けられている。なお、本明細書において、上下という場合、薄型ＰＣ１０が図１に示すように起立した状態で配置された際の上下を意味するものとする。縦位置決め部２０ｆは、前側シャーシ２０の一部を９０度切り起して形成され、その先端部がさらに内側に９０度折り曲げられている。縦位置決め部２０ｆは、ＨＤＤ３０を前側シャーシ２０に取り付ける際に、ＨＤＤ３０のブラケット３２の底板部３２ａの上端部に当接してＨＤＤ３０の位置決めが行なわれる位置に形成される。この際、縦位置決め部２０ｆの内側に９０度折り曲げられた先端部は、ブラケット３２の底板部３２ａの上端部に覆い被さるような状態となる。
【００３１】
前側シャーシ２０ａの絞り部２０ａ長手方向の下端部の外側には、前側シャーシ２０の一部を切り起して２つの縦位置決め部２０ｇが形成されている。縦位置決め部２０ｇは、前側シャーシ２０の板金が切り起された部分の縁部分が、ＨＤＤ３０のブラケット３２の底板部３２ａの下端部に当接するようになっている。この縦位置決め部２０ｇの縁部分には、小さな切り欠き２０ｇ−１が設けられている。切り欠き２０ｇ−１の機能については後述する。
【００３２】
以上のような構成の前側シャーシ２０にブラケット３２を介してＨＤＤ３０を配置し、後側シャーシ４０をＨＤＤ３０の上に配置してから、上側シャーシ４０とＨＤＤ３０のブラケット３２とを、ネジ４２により同時に締め付けて固定する。ネジ４２は、後側シャーシ４０の貫通孔４０ａ及びブラケット３２の貫通孔３２ｂ−２及び３２ｃ−２を貫通して、前側シャーシ２０のネジ孔２２ｂ−２及び２２ｃ−２にねじ込まれる。後側シャーシ４０は、ネジ４２で取り付けられる部分以外の位置でもネジ４４で締め付けられて固定される。
【００３３】
上述のような取り付け構造によると、前側シャーシ２０の支持部２２ｂ及び２２ｃは、ブラケット３２と一体となり、且つ後側シャーシ４０とも一体となる。したがって、支持部２２ｂ及び２２ｃはブラケット３２及び後側シャーシ４０により補強された状態（拘束された状態）となり、ブラケット３２が固定された支持部２２ｂ及び２２ｃの変形は抑制される。したがって、ブラケット３２が取り付けられたＨＤＤ３０は、前側シャーシ２０に対してほとんど変位できないように強固に固定されることとなる。すなわち、ブラケット３２と後側シャーシ４０とを一緒に支持部２２ｂ及び２２ｃに対して固定することで、前側シャーシ２０の支持部２２ｂ及び２２ｃはブラケット３２と後側シャーシ４０とにより補強された状態となる。このため、前側シャーシの支持部２２ｂ及び２２ｃはそれら単体では十分な剛性を有していなくても、ＨＤＤ３０及び後側シャーシ４０が前側シャーシ２０に取り付けられた時点で、変形が抑制されて十分な剛性が付与された状態となる。
【００３４】
ＨＤＤ３０が前側シャーシ２０と後側シャーシ４０とに挟まれて強固に固定されることで、ＨＤＤ３０の振動による支持部２２ｂ及び２２ｃ及び前側シャーシ２０の振動が抑制され、異音の発生を防止することができる。このため、本実施形態によるＨＤＤの支持構造では、ＨＤＤ３０の振動を抑制するための弾性材が不要となり、組立て工数と部品コストを削減することができる。
【００３５】
ここで、ＨＤＤ３０を前側シャーシ２０に取り付ける動作について説明する。ＨＤＤ３０を前側シャーシ２０に取り付けるには、まず、前側シャーシ２０を上向きにして前側筐体１２Ａを水平な場所に載置し、ブラケット３２が取り付けられたＨＤＤ３０を、図５に示すように前側シャーシ２０の所定の位置に配置する。この所定の位置とは、ブラケット３２の両側に張り出した張り出し部３２ｂ−１及び３２ｃ−１が、前側シャーシ２０の支持部２２ｂ及び２２ｃの受け部２２ｂ−１及び２２ｃ−１上に載置される位置である。ＨＤＤ３０を所定の位置に配置する際、前側シャーシ２０から突出している支持部２２ｂ及び２２ｃはブラケット３２の側板部３２ｂ及び３２ｃにそれぞれ当接し、ＨＤＤ３０を所定の位置に導くことができる。すなわち、前側シャーシ２０の支持部２２ｂ及び２２ｃは、ＨＤＤ３０を所定の位置に配置するための位置決め部としても機能する。
【００３６】
支持部２２ｂ及び２２ｃによるおおまかな位置決めの後に、ＨＤＤ３０の左右方向のより精確な位置決めは、ブラケット３２の側板部３２ｂ及び３２ｃが、前側シャーシ２０の横位置決め部２０ｄに当接することで行なわれる。
【００３７】
前側シャーシ２０の左右の横位置決め部２０ｄの間、すなわち上述の絞り部２０ａの真上に、ブラケット３２が取り付けられたＨＤＤ３０を配置した後、ブラケット３２の底板部３２ａの上端部を、縦位置決め部２０ｆの９０度内側に折り曲げられた部分と前側シャーシ２０との間に差し込む。ブラケット３２の底板部３２ａの上端部を縦位置決め部２０ｆに当接させると、それまで縦位置決め部２０ｇの先端部に乗り上げていたブラケット３２の底板部３２ａの下端部は、縦位置決め部２０ｇから外れて前側シャーシ２０に向かって移動できる状態となる。そこで、ブラケット３２を前側シャーシ２０に向かって移動すれば、ブラケット３２の左右の張り出し部３２ｂ−１及び３２ｃ−１が、対応する前側シャーシ２０の支持部２２ｂ及び２２ｃの受け部２２ｂ−１及び２２ｃ−１の上に載置された状態となる。この位置がＨＤＤ３０を前側シャーシ２０に取り付ける位置であり、所定の位置である。
【００３８】
ＨＤＤ３０及びブラケット３２がこの所定の位置に配置されると、ブラケット３２の左右の張り出し部３２ｂ−１及び３２ｃ−１に設けられた貫通孔３２ｂ−２及び３２ｃ−２は、それぞれ対応する支持部２２ｂ及び２２ｃの受け部２２ｂ−１及び２２ｃ−１に設けられたネジ孔２２ｂ−２及び２２ｃ−２に整合する。このとき、ブラケット３２の横方向の位置は４つの横位置決め部２０ｄにより決められており、且つ、ブラケット３２の縦方向の位置は１つの縦位置決め部３０ｆ及び２つの縦位置決め部２０ｄにより決められている。このため、組立て作業者がＨＤＤ３０から手を離しても、ＨＤＤ３０はこの所定の位置に保持されて動かない状態になっている。
【００３９】
その後、ＨＤＤ３０を覆う所定の位置に後側シャーシ４０を配置する。なお、詳細な説明は省略するが、前側シャーシ２０には、後側シャーシ４０を所定の取り付け位置に案内するための位置決め構造が設けられている。この位置決め構造により、後側シャーシ４０を容易に所定の取り付け位置に配置することができる。後側シャーシ４０が所定の取り付け位置に配置されると、後側シャーシ４０に設けられたネジ止め用の貫通孔４０ａは、ブラケット３２のネジ止め用の貫通孔３２ｂ−２及び３２ｃ−２に整列した状態となる。
【００４０】
そこで、貫通孔４０ａ及び貫通孔３２ｂ−２及び３２ｃ−２を貫通してネジ４４を前側シャーシ２０に設けられたネジ孔２２ｂ−２及び２２ｃ−２に締め込むことで、後側シャーシ４０とブラケット３２とが一体となった状態で前側シャーシ２０の支持部２２ｂ−１及び２２ｃ−１に固定される。これにより、上述のように、支持部２２ｂ及び２２ｃが後側シャーシ４０とブラケット３２とにより補強された状態で、ＨＤＤ３０が前側シャーシ２０に取り付けられる。
【００４１】
上述の取り付け構造によれば、支持部２２ｂ及び２２ｃが補強されるという効果に加え、ブラケット３２を単体でねじ止めする工程が不要となり、組立て工数を削減することができるという効果も得ることができる。また、上述のように、ＨＤＤ３０の振動を抑制するための弾性材が不要となり、組立て工数と部品コストを削減することができる。
【００４２】
ここで、例えば、ＨＤＤ３０を前側シャーシ２０に配置してから固定する前に、前記薄型ＰＣ１０の動作確認を行なう必要がある場合がある。例えば、内部部品のメンテナンス時に後側シャーシ４０を前側シャーシ２０から取り外した場合、ＨＤＤ３０のブラケット３２はネジ止めされておらず、前側シャーシ２０に対して固定されていない。ところが、メンテナンス後の動作確認のために後側シャーシ４０を外したままで動作試験を行なう場合がある。この場合、表示装置１４を表側から視認して動作確認を行なうために、前側筐体１２Ａをほぼ垂直に立てた姿勢に持ち上げる必要がある。
【００４３】
前側筐体１２Ａを図６に示すようにほぼ垂直に立てた姿勢に持ち上げると、前側シャーシ２０全体もほぼ垂直に起立した姿勢となる。ここで、後側シャーシ４０はネジ止めされていないため、ＨＤＤ３０のブラケット３２も前側シャーシ２０に対して固定されていない。このため、前側シャーシ２０全体がほぼ垂直に起立した姿勢となると、ＨＤＤ３０（ブラケット３２）が前側シャーシ２０から外れて落下してしまうおそれがある。
【００４４】
そこで、本実施形態では、ブラケット３２の底板部３２ａの上端に当接する縦位置決め部２０ｆの端部を内側に９０度折り曲げている。図７は、ブラケット３２の底板部３２ａの上端が、縦位置決め部２０ｆの内側に折り曲げた部分に位置している部分を拡大して示す断面図である。
【００４５】
前側シャーシ２０が図６に示すように起立した状態となり、ブラケット３２が前側シャーシ２０から離れる方向（図７の矢印で示す方向）に移動すると、ブラケット３２の底板部３２ａの上端が、縦位置決め部２０ｆの内側に折り曲げた部分に係合する。このため、取り付け部３２の上端部はそれ以上前側シャーシ２０から離れることは無く、ブラケット３２の上側は取り付け位置に保持される。
【００４６】
しかし、図６に示すように前側シャーシ２０が垂直に起立した姿勢となると、ブラケット３２の底板部３２ａの下端は縦位置決め部２０ｇに載っているだけなので、前側シャーシ２０から離れる方向に容易に移動できる状態となる。図８は、ブラケット３２の底板部３２ａの下端が、縦位置決め部２０ｇの上に載っている部分を拡大して示す断面図である。図８に示す状態から、ブラケット３２の底板部３２ａの下端が縦位置決め部２０ｇを滑って図８の矢印方向に動き、縦位置決め部２０ｇから外れると、下から支えるものがなくなるので、ブラケット３２はＨＤＤ３０ごと落下してしまう。
【００４７】
そこで、本実施形態では、縦位置決め部２０ｇに切り欠き２０ｇ−１のような凹部を設けて、ブラケット３２の底板部３２ａの下端が移動すると切り欠き２０ｇ−１に係合するようにしている。ブラケット３２の底板部３２ａの下端が切り欠き２０ｇ−１の中に落ち込むことにより、ブラケット３２の底板部３２ａの下端はそれ以上移動できなくなり、ブラケット３２は前側シャーシ２０から落下せずにその位置に維持される。
【００４８】
以上のように、縦位置決め部２０ｆ及び２０ｇを上述のような形状にすることで、前側シャーシ２０が垂直に起立した姿勢となっても、ＨＤＤ３０が前側シャーシ２０から落下することが防止されている。
【００４９】
次に、上述のブラケット３２の変形例について図９を参照しながら説明する。上述のブラケット３２は、底板部３２ａの両側から側板部３２ｂ及び３２ｃが垂直方向に延在する形状であるが、底板部３２ａを省くこともできる。図９に示す例では、ブラケット３２の代わりに、ＨＤＤ３０の両側面に取り付けられるブラケット３２Ｂ及びブラケット３２Ｃが用いられている。ブラケット３２Ｂはブラケット３２の側板部３２ｂと同等の形状であり、２つの貫通孔３２Ｂ−２が設けられた張り出し部３２Ｂ−１を有している。同様に、ブラケット３２Ｃはブラケット３２の側板部３２ｃと同等の形状であり、２つの貫通孔３２Ｃ−２が設けられた張り出し部３２Ｃ−１を有している。ブラケット３２Ｂ及びブラケット３２Ｃは、ＨＤＤ３０の両側面にネジ３４により固定される。
【００５０】
以上のように、本明細書は以下の事項を開示する。
（付記１）
第１のシャーシと、
前記第１のシャーシの一部を加工して形成された支持部と、
前記第１のシャーシ上の前記部品を覆うように前記第１のシャーシに取り付けられる第２のシャーシと
を有し、
前記第１のシャーシに取り付けられる部品に固定された取り付け具を前記第２のシャーシと前記支持部との間に挟み込んで、前記第２のシャーシと前記取り付け具とを一体に前記支持部に固定した電子装置。
（付記２）
付記１記載の電子装置であって、
前記第１のシャーシは板金により形成され、前記支持部は前記第１のシャーシを形成する板金の一部を切り起して形成された電子装置。
（付記３）
付記２記載の電子装置であって、
前記支持部は前記取り付け具の位置決めを行なう位置に形成された電子装置。
（付記４）
付記２又は３記載の電子装置であって、
前記支持部以外に、前記取り付け具の位置決めを行なう複数の位置決め部が前記第１のシャーシに形成された電子装置。
（付記５）
付記４記載の電子装置であって、
前記位置決め部の各々は前記第１のシャーシを形成する板金の一部を切り起して形成された電子装置。
（付記６）  
付記４又は５記載の電子装置であって、
前記位置決め部のうち、前記電子装置が垂直に配置された際に前記取り付け具の上側に位置する位置決め部は、前記取り付け具の上端に係合する端部を有する電子装置。
（付記７）
付記４乃至６のうちいずれか一項記載の電子装置であって、
前記位置決め部のうち、前記電子装置が垂直に配置された際に前記取り付け具の下側に位置する位置決め部は、前記取り付け具の下端を受容する凹部を有する電子装置。
（付記８）
付記７記載の電子装置であって、
前記取り付け具を前記第２のシャーシと前記支持部との間に挟み込んで、前記第２のシャーシと前記取り付け具とを同時に前記支持部にネジ止めした電子装置。
（付記９）
前記２乃至８のうちいずれか一項記載の電子装置であって、
前記第１のシャーシを形成する板金の一部であって、前記支持部が形成された部分の近傍に変形部が形成された電子装置。
【符号の説明】
【００５１】
１０  薄型ＰＣ
１２  筐体
１２Ａ  前側筐体
１２Ｂ  後側筐体
１４  表示装置
１６Ａ  支持脚
１６Ｂ  中央支持脚
２０  前側シャーシ
２０ａ  絞り部
２０ｂ，２０ｃ  開口
２０ｄ，２０ｅ  横位置決め部
２０ｆ，２０ｇ  縦位置決め部
２０ｇ−１  切り欠き
２２ｂ，２２ｃ  支持部
２２ｂ−１，２２ｃ−１  受け部
２２ｂ−２，２２ｃ−２  ネジ孔
３０  ハードディスクドライブ（ＨＤＤ）
３２，３２Ｂ，３２Ｃ  ブラケット
３２ａ  底板部
３２ｂ，３２ｃ  側板部
３２ｂ−１，３２ｃ−１  張り出し部
３２ｂ−２，３２ｃ−２  貫通孔
３４  ネジ
４０  後側シャーシ
４２，４４  ネジ
【図１】
2013196727.tif 000003
【図２】
2013196727.tif 000004
【図３】
2013196727.tif 000005
【図４】
2013196727.tif 000006
【図５】
2013196727.tif 000007
【図６】
2013196727.tif 000008
【図７】
2013196727.tif 000009
【図８】
2013196727.tif 000010
【図９】
2013196727.tif 000011